(57)【特許請求の範囲】
【請求項１】
乾気比重が０．５以下の南洋材を４５０℃以上８００℃未満で炭化焼成してなる炭由来の炭粉１００重量部と、
セメント１５〜６０重量部と、
乾燥により休眠状態にある、水中の有害物質を消費する菌と該菌の培養物のいずれかまたは両方５〜２０重量部と、
金属イオンの水溶液を含むセメント用凝固剤０．５〜３重量部と、
水とを含み、前記水の配合比が全体の５〜３０重量％である混合物
を静置することにより前記セメントを凝固させて成形体を得る水浄化用成形体の製造方法。
【請求項２】
前記セメント用凝固剤が、塩化カルシウム、塩化カリウム、塩化第二鉄、酸化マグネシウム、塩化マグネシウム、塩化アンモニウムを含む請求項１に記載の水浄化用成形体の製造方法。
【発明の詳細な説明】
【技術分野】
【０００１】
本発明は、水に接触させてその水を浄化する水浄化用成形体及びその製造方法に関する。
【背景技術】
【０００２】
水に接触させることによりその水を浄化することについては活性炭や炭などの炭素材を他素材と複合的に使用した方法やそのための部材が幾多知られている。（例えば、特許文献１、２参照）これらは汚水中の不純物を活性炭や炭に吸着させることにより水の浄化を行うものであり、活性炭や炭の吸着サイトが不純物等の被吸着物で飽和してしまうと浄化能力が失われるので、頻繁な交換を要する場合が多い。
【０００３】
一方、活性炭や炭を有機物を消費する好気性菌などの菌の担体として利用することにより水処理を行う方法が開示されている。（例えば、特許文献３参照）この方法は汚水中に自然生息している菌が担体に自然に付着することを利用するものであり、その菌が汚水中の有機物を栄養素として増殖して汚泥となり、浄化能力が低下する問題がある。
【特許文献１】特開２０００−２３３１８９号公報
【特許文献２】特開２００７−８３１号公報
【特許文献３】特開２０００−１７６４８９号公報
【発明の開示】
【発明が解決しようとする課題】
【０００４】
本発明の目的は、水との接触により長期にわたり優れた水浄化能力を発揮する水浄化用成形体及びその製造方法を提供しようとすることである。
【課題を解決するための手段】
【０００５】
本発明の要旨とするところは、炭粉と、水中の有害物質を消費する菌と、接着剤とを含む複合物であり、前記炭粉の粒子が前記接着剤を介して連結されて多孔質体が形成されてなる、水浄化用成形体であることにある。
【０００６】
前記菌は、乾燥により休眠状態にある菌であり得る。
【０００７】
前記菌は、Ｅｍｐｅｄｏｂａｃｔｅｒ属細菌のＳＩＩＤ２９２６−１ｂ株（ＦＥＲＭ  ＡＰ−１０３６０）であり得る。
【０００８】
前記接着剤は、セメント系の接着剤であり得る。
【０００９】
前記炭粉は、南洋材を炭化焼成してなる炭由来の炭粉を含み得る。
【００１０】
前記炭粉は、気乾比重０．５以下の木材を炭化焼成してなる炭由来の炭粉を含み得る。
【００１１】
前記炭粉は、木材を４５０℃以上８００℃未満で炭化焼成してなる炭由来の炭粉を含み得る。
【００１２】
また、本発明の要旨とするところは、
炭粉と、水中の有害物質を消費する菌と、接着剤とを含む混合物を準備する工程、
前記接着剤を硬化させることにより前記混合物を固化させて成形体を得る工程
を含む水浄化用成形体の製造方法であることにある。
【００１３】
さらに、本発明の要旨とするところは、前記接着剤がセメントとセメント用凝固剤を含み、
前記混合物を静置することにより前記セメントを凝固させて成形体を得る前記水浄化用成形体の製造方法であることにある。
【００１４】
前記水浄化用成形体の製造方法においては、前記セメント用凝固剤が金属イオンの水溶液を含み得る。
【００１５】
前記水浄化用成形体の製造方法においては、前記セメント用凝固剤が、塩化カルシウム、塩化カリウム、塩化第二鉄、酸化マグネシウム、塩化マグネシウム、塩化アンモニウムを含み得る。
【００１６】
前記水浄化用成形体の製造方法においては、前記菌が乾燥により休眠状態にある菌であり得る。
【００１７】
前記水浄化用成形体の製造方法においては、前記菌がＥｍｐｅｄｏｂａｃｔｅｒ属細菌のＳＩＩＤ２９２６−１ｂ株（ＦＥＲＭ  ＡＰ−１０３６０）であり得る。
【発明の効果】
【００１８】
本発明によると、水との接触により長期にわたり優れた水浄化能力を発揮する水浄化用成形体及びその製造方法が提供される。
【発明を実施するための最良の形態】
【００１９】
本発明の水浄化用成形体は、炭粉と水中の有害物質を消費して分解または変化させる機能を有する菌（以下浄化用菌と称する）と接着剤とを含んでなる複合物であり、その炭粉の粒子がその接着剤を介して連結されて多孔質体が形成されてなる水浄化用成形体である。浄化用菌は炭粉の粒子に担持された状態で水浄化用成形体の表面や内部に存在している。
【００２０】
浄化用菌としては、Ｂａｃｉｌｌｕｓ属細菌、Ｃｌｏｓｔｒｉｄｕｉｍ属細菌、Ｔｈｅｒｍｕｓ属細菌、Ｐｓｅｕｄｏｍｏｎａｓ属細菌、Ｅｍｐｅｄｏｂａｃｔｅｒ属細菌から選択される１または複数種の菌が挙げられる。なかでも、本発明の水浄化用成形体に用いられる菌としては、Ｅｍｐｅｄｏｂａｃｔｅｒ属細菌が好ましい。Ｅｍｐｅｄｏｂａｃｔｅｒ属細菌のなかでも、ＳＩＩＤ２９２６−１ｂ株（ＦＥＲＭ  ＡＰ−１０３６０）が本発明の水浄化用成形体の水浄化性能のうえで最も好ましい。
【００２１】
本発明の水浄化用成形体に含まれる浄化用菌は、乾燥により休眠状態にある菌であることが好ましい。この場合、水浄化用成形体が水中に投入されるなどして水と接触することにより、浄化用菌が吸湿して活性化し、炭粉の粒子の吸着作用と相俟って優れた水浄化能力を発揮する。
【００２２】
水浄化用成形体の未使用時に、この水浄化用成形体に含まれる浄化用菌が湿潤状態にあり活性化していると、水浄化用成形体の未使用時に、この菌が異常増殖して腐敗し、水浄化能力が充分発揮されない場合がある。
【００２３】
浄化用菌は比較的強いアルカリ性の水の中では増殖が制限されるので、水浄化用成形体が水に接触している状態では、炭の近傍の水がアルカリ性となることにより、浄化用菌の過度の増殖が抑制される。これにより、浄化用菌の過度の増殖による汚泥の発生が抑制され、過度に増殖した菌により汚水と炭粉粒子との接触が妨げられて炭の吸着能力が低下するという現象も抑制され、浄化能力が長期にわたり維持される。
【００２４】
接着剤としてはエポキシ系樹脂、アクリル系樹脂で例示されるような樹脂系の接着剤の使用が可能であるが、セメントが好ましい。接着剤がセメントであることにより、水浄化用成形体が水中に置かれた状態で接着剤の近傍がよりアルカリ性となるので、浄化用菌の過度の増殖がさらに抑制され、浄化能力がさらに長期にわたり維持される。
【００２５】
炭粉としては木、竹、籐、籾殻、等の植物由来のセルロース系物質の炭化物が粒状物してなるものが用いられる。炭粉の粒子の粒径は０．００１〜１ｍｍであることが好ましい。炭粉としては南洋材を原料とする炭が粉砕されてなる炭粉が好適に用いられる。南洋材は国産材に比べて成長が速く細胞組織が粗くて大きいので、多孔質の炭化物の細孔のサイズが大きく、この細孔に浄化用菌がはまりやすく、安定した浄化用菌の担持がなされ、浄化用菌の浄化活動が円滑に行なわれ、なら、かしなどの細胞組織の密な国産材の炭粉を使用した場合に比べると、優れた水浄化効果が得られる。また、炭粉に代えて粉状の活性炭を用いた場合は細孔のサイズが炭に比べさらに小さいので、浄化用菌がさらに安定して担持されにくく、長期にわたる優れた水浄化効果を得ることができない。
【００２６】
このような南洋材としては、ラミン、ゴム、ラワン、カポール、テレンタン、メランティ、ゲロンガン、ピサンピサン、ファルカータ、プナ、ケンパス、バラン、ビンタングル、ニャトー、アガチス、が例示されるが成長が速く細胞組織が粗くて大きいものであればこれらに限定されない。
【００２７】
南洋材に限らず、本発明において使用する木材の気乾比重が０．５以下であることが細孔のサイズが大きい炭化物を使用できて好ましい。例えば、気乾比重０．５以下の桐、杉類、松類のような木材であることが好ましい。
【００２８】
また、炭粉に用いる炭としては上記セルロース系物質が４５０℃以上、８００℃未満で炭化焼成されたものであることが好ましい。炭化焼成温度が、例えばいわゆる白炭や備長炭におけるように、８００℃以上であると、炭が過度にアルカリ性となり、担持された浄化用菌の増殖や活動が妨げられて浄化能力が最大限には発揮されない傾向にある。炭化焼成温度が４５０℃を下回ると炭が酸性となり、担持された浄化用菌の増殖や活動が妨げられて浄化能力が最大限には発揮されない傾向にある。
【００２９】
炭粉は、炭を公知の粉砕手段により粉砕して得てもよい。おがくずや木材の粉砕物などの、木材の粒状物を焼成して得てもよい。
【００３０】
本発明の水浄化用成形体は、炭粉と、浄化用菌と、硬化あるいは凝固前の接着剤と、必要ならば接着剤の硬化剤あるいは凝固剤と、を含む混合物を含む成形体前駆体を、接着剤の硬化あるいは凝固により固化させることにより得ることができるが、接着剤がセメントである場合、水のみを凝固剤として使用すると成形体の必要な強度を得るためには、大量の水を必要とし、成形体前駆体が大量の水を含有するものとなる。このため、成形体前駆体中の浄化用菌がその水に浸かることとなり、水に浸かった浄化用菌が活性化し、浄化用菌が活性化した状態で成形体前駆体の固化が行なわれ、固化により浄化用菌が損傷されてしまう傾向にある。またセメントの固化により炭粉の細孔の大部分が閉塞され、細孔中の浄化用菌の活動が阻害される。セメントの量を減らして閉塞を防ぎ、多孔質の成形体を得ようとすれば、成形体の強度が低いものとなってハンドリングに支障をきたすことがあり、取り扱い方や用途が限定される。
【００３１】
本発明においては、セメントの凝固剤として金属イオンを含む水溶液を用いることにより、セメントを接着剤とする成形体前駆体の固化に必要な水分を少なくし、かつ充分な強度の成形体が得られることがわかった。これにより、成形体前駆体中の浄化用菌を乾燥による休眠状態で成形体前駆体の固化を行なうことができる。またセメントの固化により炭粉の細孔が閉塞されることが少なく、成形体を水に投じて浄化作用を行うときに浄化用菌が活性を回復し細孔中の浄化用菌の活動が充分に行なわれる。
【００３２】
このように、成形体前駆体の段階では、浄化用菌は乾燥により休眠状態にあることが好ましい。このような成形体前駆体を固化してなる本発明の水浄化用成形体においても、この成形体に担持されている浄化用菌は乾燥により安定した休眠状態にあり、このような本発明の水浄化用成形体は性能を低下させることなく未使用状態での長期の保存が可能である。
【００３３】
セメントの凝固剤として用いられる水溶液に含有される好適な金属イオンとしては、カルシウムイオン、カリウムイオン、第二鉄イオン、マグネシウムイオン、が例示される。
【００３４】
さらに、凝固剤として用いられる水溶液が、塩化カルシウム、塩化カリウム、塩化第二鉄、酸化マグネシウム、塩化マグネシウム、塩化アンモニウムを含む場合は、少量の水の使用により高強度の成形体が得られ、成形体を水に投じて浄化作用を行うときに細孔中の浄化用菌の最も充分な活動が得られる。
【００３５】
また、本発明においては、通常は、浄化用菌を用いるときにはその培養物と混合状態のものが用いられる。また、浄化用菌のかわりに浄化用菌の培養物を用いることができる。培養物とは浄化用菌の培養に用いた培地と浄化用菌の育成に伴ってその培地に放出された化合物や酵素を含むものをいう。浄化用菌自体が水中の化合物を消費して分解できるが、浄化用菌が産生する酵素等も同様の機能を有すると考えられる。
【００３６】
本発明の水浄化用成形体は、上述のように、炭粉と、浄化用菌および／またはその培養物と、凝固あるいは硬化前の接着剤と、必要に応じて添加される硬化剤あるいは凝固剤を攪拌混合して成形体前駆体となし、所定の型にいれて接着剤を硬化あるいは凝固などによりかたまらせて得ることができるが、この成形体前駆体は、炭粉１００重量部に対して、浄化用菌および／またはその培養物５〜２０重量部、凝固あるいは硬化前の接着剤１５〜６０重量部が配合されてなることが好ましい。
【００３７】
接着剤がセメントである場合、金属イオンを含む水溶液からなる凝固剤が成形体前駆体全体に対して０．５〜３重量部配合されることが好ましい。
【００３８】
接着剤がセメントである場合、成形体前駆体に含まれる水の割合は成形体前駆体全体に対して５〜３０重量％であることが好ましい。この水の割合がこの範囲を下回ると成形体の強度が不足する。この範囲を上回ると浄化用菌および／またはその培養物が膨潤してセメントの凝固が妨げられて成形体がもろくなり、ハンドリングに支障をきたす。
【００３９】
接着剤がセメントである場合、成形体前駆体に含まれる浄化用菌および／またはその培養物の乾燥物の配合割合が炭粉１００重量部に対して５〜２０重量部の範囲を下回ると、水浄化用成形体としての水浄化能力が充分でない。この範囲を上回ると、浄化用菌および／またはその培養物が膨潤して成形体がもろくなり、ハンドリングに支障をきたす。
【００４０】
本発明においては、成形体前駆体中の浄化用菌および／またはその培養物の乾燥物とは、その浄化用菌および／またはその培養物の水分率が５０重量％以下であるものをいう。そのためには、浄化用菌および／またはその培養物を、水分率５０重量％以下の乾燥状態で硬化前の接着剤と混合することが好ましい。
【００４１】
また、本発明においては、浄化用菌を含む液に炭粉を混合し、浄化用菌を炭粉に吸着させたのち硬化前の接着剤等と混合して成形体前駆体を得てもよい。この場合、接着剤に混合する前に浄化用菌を吸着させた炭粉を乾燥しておくことが好ましい。あるいは本発明においては、浄化用菌を含む液と炭粉と接着剤等とを混合して成形体前駆体を得てもよい。この場合はこの成形体前駆体は固化前に乾燥しておくことが好ましい。
【００４２】
本発明の水浄化用成形体は、汚水に浸漬して静置しておく態様で浄化を行う他に、流水の経路の一部分に配置してその流水と接触させる態様で浄化を行うこともできる。
【００４３】
実施例１
浄化用菌の培養
水４００重量部に浄化用菌（Ｅｍｐｅｄｏｂａｃｔｅｒ属細菌のＳＩＩＤ２９２６−１ｂ株（ＦＥＲＭ  ＡＰ−１０３６０））０．５重量部、グルコース１０重量部、ペプトン５重量部、酵母エキス２．５重量部を添加し、３０℃で５日間培養し培養液を得た。この配合比率によるこの培養液４０００重量部に米糠１００００重量部、コーヒー粕１０００重量部、蜂蜜２重量部を加え、発酵熱による温度上昇に注意しつつ５５℃を超えないように適宜攪拌して５日間静置培養し培養物を得た。この培養物を自然乾燥して乾燥培養物を得た。この乾燥培養物の水分率は１５％であった。
【００４４】
炭粉
南洋材であるファルカータを約６００℃で乾留して得た炭を粉砕し、平均粒径約０．５ｍｍの炭粉としたものを用いた。
成形体前駆体
【００４５】
上記炭粉１００重量部、水２０重量部、普通ポルトランドセメント５０重量部、セメント用凝固剤１重量部を攪拌混合して混合物を得た。この混合物に上記乾燥培養物１０重量部を加えて攪拌混合して成形体前駆体を得た。セメント用凝固剤は、塩化カルシウム２量部、塩化カリウム２重量部、塩化第二鉄２重量部、酸化マグネシウム２重量部、塩化マグネシウム２量部、塩化アンモニウム２重量部、水２５００重量部からなる水溶液である。
【００４６】
水浄化用成形体
上記成形体前駆体を型枠に入れて約５０００Ｐａで加圧後２４時間静置してサイズ２ｃｍ×５ｃｍ×５ｃｍのブロック状の水浄化用成形体を得た。
【００４７】
浄化テスト１
汚水として市街を流れる川から採取した水を用いた。この水（原水）のＣＯＤは１５ｐｐｍであった。
【００４８】
Ａ槽、Ｂ槽の２個の槽（容量２００リットル）それぞれに原水各１００リットルを入れた。Ａ槽に、ブロック状の水浄化用成形体５０個を投入した。Ｂ槽に、市販の樹脂（ＰＰ）製接触濾材（径約５ｃｍの円盤状）を１００枚投入した。
【００４９】
次いで各槽の水を曝気状態で４８時間経過させた後のＣＯＤは、Ａ槽約８ｐｐｍ、Ｂ槽約１３ｐｐｍであり、上記水浄化用成形体のすぐれた浄化能力を確認した。
【００５０】
浄化テスト２
ａ槽、ｂ槽の２個のガラス水槽（容量５０リットル）それぞれに井戸水２０リットルを入れて太町約５ｃｍの金魚各５匹を飼育した。ａ槽に上記水浄化用成形体３個を投入し水槽の底に静置した。各槽とも通常の曝気のもとに飼育を行い、６日経過後の水質を測定した結果を表１に示す。
【００５１】
【表１】
0004856610.tif 000002
【００５２】
また、ａ槽はｂ槽にくらべてアオコの発生が少なく、水の透明性が高く、ｂ槽がアオコにより水槽壁が曇ったのに対して、ａ槽はアオコによる水槽壁の曇りがほとんどなかった。
【００５３】
浄化テスト３
図１に示すように、長さ５ｍ、内径２０ｃｍの塩ビ管を２つに縦割りした樋状物２の底部４に、上記成形体前駆体を樋状物２の長手方向に沿って断面かまぼこ形状に敷き詰めて、１２日間静置して固化させ、樋状物２とかまぼこ型水浄化用成形体６との複合体である長尺複合体８を得た。かまぼこ型水浄化用成形体６の上面１０と樋状物２の露出内壁１２とで、樋状物２の長手方向に延びる溝１４が形成されている。図２に示すように、複合体８を長手方向に関して水平から傾けて、かつ溝１４が上方に開口するように配置させ、循環ポンプ１６と導水パイプ１８により水を複合体８の上方片端部２０に導いて、上面１０上を流下させた。上面１０上を流下した水を複合体８の下端部２１から受け槽２２（容量１００リットル）に受け、再び循環ポンプ１６と導水パイプ１８により水を複合体８の上方片端部２０に導いて流量５リットル／ｍｉｍで循環させた。
【００５４】
始めの２４時間は水のみを循環させた。
次に、循環を続けながら受け槽２２に市販の粒状肥料（８−８−８）を１００ｇ投入し溶解させた。この直後の受け槽２２内の水を採取しサンプル１とした。その後１７時間経過後に上面１０上を流下する水を水質測定用に採取し、サンプル２とした。
そのまま水を循環させ、循環開始時から４８時間後に循環を停止し、同時に複合体８の上面１０を水道水によりその圧を利用して洗浄した。洗浄に用いた水を採取し、サンプル３とした。
この洗浄とともに循環水を清水に交換し、水の循環を再開した。この再開時から２４時間経過の時点で上面１０上を流下する水を水質測定用に採取し、サンプル４とした。
【００５５】
各サンプルの水質測定結果を表２に示す。水浄化用成形体との接触流下により流水中の肥料成分（窒素成分、リン成分）が浄化されたことを確認した。
【００５６】
【表２】
0004856610.tif 000003
【００５７】
実施例２
実施例１で得たと同様の成形体前駆体を型に入れて実施例１と同様にして固化させ、径３ｃｍ、高さ３ｃｍの円柱形の水浄化用成形体を得た。この成形体をサンプル（１）とする。
【００５８】
ビーカー（容量１リットル）に培地（溶液）を６００ｃｃを入れ、さらにサンプル（１）をビーカーに６個投入した。その後、養魚用曝気装置による培地の曝気を継続しつつ、サンプル投入後の培地のｐＨ、成分（イオン、グルコース）、ＣＯＤ、を測定し、表４、５に示す結果を得た。
【００５９】
表３に培地１リットル中の成分を示す。残余は蒸留水である。この培地のｐＨは７．０であった。
【００６０】
【表３】
0004856610.tif 000004
【００６１】
【表４】
0004856610.tif 000005
【００６２】
【表５】
0004856610.tif 000006
【００６３】
表４、５における変化率はサンプル投入直後（経過時間０）の各項目の測定値を１００としたときの対応する項目の測定値の比率を示す。
【００６４】
表４、５で示されるように、硝酸イオンは２日目に、リン酸イオン、亜硝酸イオンは２〜３日目にほぼ消失した。アンモニウムイオンは３日でほぼ半減した。
【００６５】
ｐＨの上昇はサンプルからセメント成分由来のアルカリイオンの溶出によるものと思われる。
【００６６】
グルコースは菌の生育にともない減少した。ＣＯＤは途中減少し、後に菌の代謝物及び菌体分解物等により再び上昇した。なお、液中の菌のＤＮＡを調べたが、主として単悍菌であり、サンプル（１）に含まれている菌とは一致しなかった。培地（溶液）中の、アンモニウムイオン、硝酸イオン、亜硝酸イオン及びリン酸イオンの減少は、水浄化用成形体への吸着によるものではなく、水浄化用成形体中の菌の増殖により消費されたことによるものと思われる。
【００６７】
実施例３
睡蓮鉢（径８０ｃｍ、高さ６０ｃｍ）に水を張り、睡蓮苗を１０株定着させた。１ヶ月放置したところ水が濁って睡蓮の成長が停滞した。この鉢の水底に実施例１で得たと同様の水浄化用成形体１０個を投入した。その後２０日経過させたところ、水が澄んできて睡蓮の生育が進行しはじめた。さらにその後１ヶ月で睡蓮鉢の水面を満たすぼどに睡蓮が生育した。この間、水はきわめて清澄な状態を維持した。
【００６８】
比較例１
実施例３と同様な睡蓮鉢に水を張り、実施例３と同時期に睡蓮苗を１０株定着させた。１ヶ月放置したところ水が濁って睡蓮の成長が停滞した。その後５０日放置を続けたが、水は濁ったままであり、雑草類が繁茂し睡蓮の生育は停滞したままであった。
【００６９】
実施例４
実施例１で得たと同様の成形体前駆体を用いて、この成形体前駆体を型枠に入れて静置してサイズ５ｃｍ×１０ｃｍ×２０ｃｍのブロック状の水浄化用成形体を得た。この水浄化用成形体２０個を、あおこの発生で濁り底が見えない状態の池（２０ｍ２、深さ５０ｃｍ）に投入し池底に静置した。１ヶ月経過後、池は清澄になり、底まで透き通って見えるようになっていた。
【００７０】
比較例２
炭粉に代えて平均粒径約０．５ｍｍの活性炭を用いたほかは実施例４と同様にして水浄化用成形体を得た。この水浄化用成形体２０個を、あおこの発生で濁り底が見えない状態の池（２０ｍ２、深さ５０ｃｍ）に投入し池底に静置した。投入当初は池がやや清澄になったが、１ヶ月経過後、池は濁りが目立つようになった。
【００７１】
実施例５
実施例１で用いたと同様の炭粉１００重量部、エポキシ樹脂（商品名：エピコート８２８）２０重量部、常温硬化用触媒０．２重量部を混合攪拌し、次いで実施例１で用いたと同様の乾燥培養物１０重量部を加えて混合攪拌し成形体前駆体を得た。この成形体前駆体を型枠に入れて３５℃で４８時間静置してサイズ２ｃｍ×１０ｃｍ×１０ｃｍのブロック状の水浄化用成形体を得た。得られた水浄化用成形体を、実施例３と同様にして睡蓮苗を定着して水が濁って睡蓮の成長が停滞した睡蓮鉢の水底に投入した。その後２０日経過させたところ、水が澄んできて睡蓮の生育が進行しはじめた。さらにその後１ヶ月で睡蓮鉢の水面を満たすぼどに睡蓮が生育した。この間、水は清澄な状態を維持した。
【００７２】
実施例６
乾燥培養物として、上水道用の浄化槽で採取した、Ｂａｃｉｌｌｕｓ属細菌を含有する活性汚泥、の乾燥物（水分率１５重量％）を用いた他は実施例１と同様にして水浄化用成形体を得た。得られた水浄化用成形体１個を、ＣＯＤが５０ｐｐｍの汚水を２００ｃｃ入れたビーカー中に投入した。投入から２４時間後の汚水のＣＯＤは２５ｐｐｍであった。
【００７３】
その他、本発明は、主旨を逸脱しない範囲で当業者の知識に基づき種々なる改良、修正、変更を加えた態様で実施できるものである。
【図面の簡単な説明】
【００７４】
【図１】水浄化に用いる、本発明の水浄化用成形体を用いた長尺複合体の断面図である。
【図２】図１に示す長尺複合体を用いた水浄化実験の態様を示す側面模式図である。
【符号の説明】
【００７５】
２：樋状物
８：長尺複合体
１６：循環ポンプ
１８：導水パイプ
２２：受け槽            
【図１】
0004856610.tif 000007
【図２】
0004856610.tif 000008